(57)【要約】【課題】この発明は、オペレータによる手間を軽減でき、装置の稼働率を向上させることができる紙葉類処理装置を提供することを課題とする。【解決手段】紙幣処理装置１は、検査機２、排除券処理機４、および搬送装置６を有する。各検査機２では、所定枚数の紙幣の束を破封して検査し、検査済の再使用可能な紙幣を再び結束して排出する。各検査機２は、再検査が必要と判断された排除券を収納する排除券カセット、結束解除した大帯を収納する大帯カセット、および破封した小帯を収納する小帯カセットを有する。各検査機２で所定数の束の処理が終了すると、排除券カセットとともに大帯カセットおよび小帯カセットが同時に排出され、排除券処理機４に近接したカセット排出部８へまとめて搬送される。【選択図】      図１
2005010990.tif 000002
【特許請求の範囲】
【請求項１】
所定枚数の紙葉類を帯により結束した束を受け入れて、当該束を特定する情報が印字された上記帯を切除して帯収納部へ収納し、結束を解除された紙葉類を１枚ずつ取り出して検査し、検査の結果、再検査が必要と判断された紙葉類を紙葉類収納部へ収納する検査機と、
この検査機で所定数の束を処理した後、上記紙葉類収納部、および上記帯収納部を上記再検査を実施する場所へ搬送する搬送装置と、
を備えていることを特徴とする紙葉類処理装置。
【請求項２】
上記搬送装置は、上記紙葉類収納部、および上記帯収納部をまとめて搬送することを特徴とする請求項１に記載の紙葉類処理装置。
【請求項３】
上記再検査を実施する場所に設置され、上記搬送装置を介して搬送された上記紙葉類収納部内に収納されている紙葉類を投入して再検査する再検査機をさらに有することを特徴とする請求項２に記載の紙葉類処理装置。
【請求項４】
上記再検査機は、上記検査機より高い検査精度を有することを特徴とする請求項３に記載の紙葉類処理装置。
【請求項５】
上記検査機を上記搬送装置に複数台接続したことを特徴とする請求項１に記載の紙葉類処理装置。
【請求項６】
所定枚数の未検査の紙葉類を小帯で施封した把を所定数集積して大帯で結束した束を受け入れて、当該束を特定する情報が印字された上記大帯を切除して大帯収納部へ収納し、結束解除した各把から各把を特定する情報が印字された上記小帯を切除して小帯収納部へ収納し、施封解除した紙葉類を１枚ずつ取り出して検査し、検査の結果、再検査が必要と判断された紙葉類を紙葉類収納部へ収納する検査機と、
この検査機で所定数の束を処理した後、上記紙葉類収納部、大帯収納部、および小帯収納部を上記再検査を実施する場所へ搬送する搬送装置と、
を備えていることを特徴とする紙葉類処理装置。
【請求項７】
上記搬送装置は、上記紙葉類収納部、大帯収納部、および小帯収納部をまとめて搬送することを特徴とする請求項６に記載の紙葉類処理装置。
【請求項８】
上記再検査を実施する場所に設置され、上記搬送装置を介して搬送された上記紙葉類収納部内に収納されている紙葉類を投入して再検査する再検査機をさらに有することを特徴とする請求項７に記載の紙葉類処理装置。
【請求項９】
上記再検査機は、上記検査機より高い検査精度を有することを特徴とする請求項８に記載の紙葉類処理装置。
【請求項１０】
上記検査機を上記搬送装置に複数台接続したことを特徴とする請求項６に記載の紙葉類処理装置。
【発明の詳細な説明】
【０００１】
【発明の属する技術分野】
この発明は、紙葉類を結束する帯を破封して検査し、再使用可能な紙葉類を再び結束する紙葉類処理装置に係り、特に、紙幣の束を処理する紙幣処理装置に関する。
【０００２】
【従来の技術】
従来、紙葉類処理装置として、例えば、特願平７−２４３１４９号公報に開示された紙幣処理装置が知られている。
【０００３】
この紙幣処理装置は、複数台の検査機、排除券処理機、および搬送装置を有する。各検査機は、搬送装置を介して排除券処理機に接続されている。
【０００４】
以下、紙幣を１００枚まとめ、小帯で施封したものを把、把を１０個まとめて大帯で施封したものを束とする。
【０００５】
各検査機は、未検査の紙幣を結束する大帯、小帯をそれぞれ破封して１枚ずつ検査する。この検査の結果、再検査が必要と判断された紙幣は、排除券として排除券カセットに収容される。また、正規の紙幣ではあるが再使用不可能であることが判断された紙幣は、損券として裁断して失効される。さらに、正規の紙幣で且つ再使用可能であることが判断された紙幣は、正券として結束されて送り出される。ここで、検査機は、各束、各把から結束解除した大帯および小帯をそれぞれ大帯カセット、小帯カセットに収納して保管する。
【０００６】
搬送装置は、各検査機で所定数の束を処理した後、当該検査機から自動的に排出される排除券カセットを排除券処理機へ搬送する。
【０００７】
排除券処理機のオペレータは、搬送装置を介して各検査機から送られてくる排除券カセットから排除券を取り出して、排除券処理機へ投入する。このとき、排除券処理機で再検査した排除券の枚数と当該排除券カセットを排出した検査機で処理した正券および損券の枚数が加算され、予定処理枚数と比較されて当該処理に係る銀行券の員数が確認される。
【０００８】
員数が予定枚数と一致した場合にはそのまま処理を終了するが、員数に過不足を生じている場合には、オペレータが該当する検査機まで行って大帯カセットおよび小帯カセット内を検査する。このとき、オペレータは、大帯カセットおよび小帯カセットを検査機から取り出して、カセット内に銀行券が収納されているか否かを確認し、各帯に印字されている情報から処理した束の受入先の金融機関を特定していた。
【０００９】
【発明が解決しようとする課題】
つまり、上述した従来の紙幣処理装置では、員数に過不足が生じている場合には、オペレータが検査機まで移動して大帯カセットおよび小帯カセットを捜索する必要があり、排除券の処理に多くの手間と時間を要していた。また、上述した従来の紙幣処理装置では、員数が確定するまでは該当する検査機による処理ができないため、紙幣処理装置全体としての稼働率が低かった。
【００１０】
この発明は、以上の点に鑑みなされたもので、その目的は、オペレータによる手間を軽減でき、装置の稼働率を向上させることができる紙葉類処理装置を提供することにある。
【００１１】
【課題を解決するための手段】
上記目的を達成するため、本発明の紙葉類処理装置は、所定枚数の紙葉類を帯により結束した束を受け入れて、当該束を特定する情報が印字された上記帯を切除して帯収納部へ収納し、結束を解除された紙葉類を１枚ずつ取り出して検査し、検査の結果、再検査が必要と判断された紙葉類を紙葉類収納部へ収納する検査機と、この検査機で所定数の束を処理した後、上記紙葉類収納部、および上記帯収納部を上記再検査を実施する場所へ搬送する搬送装置と、を備えている。
【００１２】
上記発明によると、結束解除した帯を収納した帯収納部を再検査が必要な紙葉類を収納した紙葉類収納部と一緒に再検査を実施する場所へ搬送するため、再検査終了後に処理を確定するときに帯と一緒に帯収納部に収納されてしまった紙葉類等をその場で見つけ出すことができ、オペレータの作業負担を低減でき、処理効率を向上させることができる。
【００１３】
また、本発明の紙葉類処理装置は、所定枚数の未検査の紙葉類を小帯で施封した把を所定数集積して大帯で結束した束を受け入れて、当該束を特定する情報が印字された上記大帯を切除して大帯収納部へ収納し、結束解除した各把から各把を特定する情報が印字された上記小帯を切除して小帯収納部へ収納し、施封解除した紙葉類を１枚ずつ取り出して検査し、検査の結果、再検査が必要と判断された紙葉類を紙葉類収納部へ収納する検査機と、この検査機で所定数の束を処理した後、上記紙葉類収納部、大帯収納部、および小帯収納部を上記再検査を実施する場所へ搬送する搬送装置と、を備えている。
【００１４】
【発明の実施の形態】
以下、図面を参照しながらこの発明の実施の形態について詳細に説明する。
【００１５】
図１には、この発明の実施の形態に係る紙葉類処理装置として、紙幣処理装置１の外観斜視図を示してある。図２には、この紙幣処理装置１で処理される紙幣Ｐ（紙葉類）の把ｔ（ａ）、および束Ｔ（ｂ）の外観斜視図をそれぞれ示してある。
【００１６】
本実施の形態では、例えば、同一金種の１００枚の紙幣Ｐを集積して小帯ｋで施封して図２（ａ）に示すような把ｔを形成し、この把ｔを１０把集積して大帯Ｋで十文字結束して図２（ｂ）に示すような束Ｔを形成する。
【００１７】
図１に示すように、紙幣処理装置１は、複数台（本実施の形態では６台）の検査機２、複数台（本実施の形態では２台）の排除券処理機４（再検査機）、および搬送装置６を有する。搬送装置６は、複数台の検査機２を接続し、排除券処理機４まで延びた端部にカセット排出部８を有する。つまり、カセット排出部８に排出された後述する排除券カセットＣ３内の排除券が、オペレータの手作業により排除券処理機４へ投入されるようになっている。
【００１８】
各検査機２は、後述する検査機制御部１０２により動作制御され、各排除券処理機４は、後述する排除券処理機制御部１０４により動作制御され、搬送装置６は、後述する搬送制御部１０６により動作制御される。
【００１９】
この紙幣処理装置１は、各制御部１０２、１０４、１０６の制御により、以下のように動作する。
【００２０】
前処理機から搬送装置６を介して図中矢印Ａ方向に搬送された未検査の束Ｔは、各検査機２へ適当に振り分けられて供給される。
【００２１】
各検査機２では、未検査の束Ｔを破封して検査し、切除した大帯Ｋを大帯カセットＣ１（後述する）に収納し、小帯ｋを小帯カセットＣ２（後述する）に収納し、再使用可能な正券を再び結束して搬送装置６を介して図中矢印Ｂ方向に送り出し、再使用が不可能な損券を裁断して失効させ、再検査が必要な排除券を排除券カセットＣ３（後述する）に収納する。検査機２の詳細については、後に詳述する。
【００２２】
各検査機２において所定数の束Ｔの処理が終了すると、当該検査機から、排除券カセットＣ３、大帯カセットＣ１、および小帯カセットＣ２が、搬送装置６を介して図中矢印Ｃ方向に送り出され、カセット排出部８まで搬送される。一般に、各検査機２において４０束〜６０束程度の紙幣を処理した後、当該検査機２の３つのカセットＣ１、Ｃ２、Ｃ３がまとめてカセット排出部８へ搬送される。カセットを排出するタイミングを決定する束の処理数は、各検査機２にて任意に設定できるものとする。
【００２３】
カセット排出部８に排出された各カセットＣ１、Ｃ２、Ｃ３は、排除券処理機４のオペレータによってハンドリングされ、排除券カセットＣ３内の排除券が取り出されて空いている排除券処理機４へ投入される。排除券処理機４では、上述した検査機２より高い検査精度で排除券を再検査する。
【００２４】
図３には、上記検査機２の内部構造を示してある。図４には、上記排除券処理機４の内部構造を示してある。図５には、上記紙幣処理装置１の動作を制御する制御系のブロック図を示してある。さらに、図６には、上記紙幣処理装置１の動作を説明するためのフローチャートを示してある。以下、束Ｔの搬送経路に沿って紙幣処理装置１のより詳細な構造および動作について、図３乃至図９を参照して説明する。
【００２５】
検査機２は、搬送装置６の未検査束搬送コンベア１１を介して図中矢印Ａ方向に搬送される未検査の束Ｔを、検査機制御部１０２から出力される取込許可信号に応じて、未検査束取込部１２を介して検査機２内に取り込む（図６、ステップ１、２）。搬送装置６の未検査束搬送コンベア１１を介して搬送される束Ｔの受入元の金融機関等、束Ｔを特定するための情報は、予め前工程制御部１００にて認識されており、搬送制御部１０６に通知されている。
【００２６】
未検査束取込部１２を介して検査機２内に取り込まれた束Ｔは、未検査束バッファコンベア１３上に貯留されつつ搬送される。未検査束バッファコンベア１３上の束Ｔは、未検査大帯印字部１４に搬送され、ここで、束Ｔの大帯Ｋに、当該検査機２の機番号や当該束Ｔの取込順等を示す番号が印字される（ステップ３）。束Ｔの大帯Ｋに印字した情報は、検査機制御部１０２を介して搬送制御部１０６へ通知される。
【００２７】
未検査大帯印字部１４での処理が終了した束Ｔは、大帯除去部１５へ搬送され、ここで、未検査大帯印字部１４で番号を印字した束Ｔの大帯Ｋが切断して除去される（ステップ４）。切除された大帯Ｋは、大帯除去部１５の下方に配置された大帯カセットＣ１（大帯収納部）に収納される（ステップ５）。大帯カセットＣ１は、検査機２に対して脱着自在に装着されている。
【００２８】
大帯カセットＣ１は、図７に示すように、略矩形ブロック形状を有し、切除した大帯Ｋを押し込むスリット状の大帯押込部４１、押込まれた大帯Ｋの収納量に応じて移動するバックアップ４２、および収納した大帯Ｋを外部に取り出すための開閉扉４３を有する。
【００２９】
大帯カセットＣ１の周辺には、交換用の予備の大帯カセット、およびカセット交換機構が配設されている。カセット交換機構は、検査機制御部１０２の制御に基づく所定のタイミングで動作され、既に大帯Ｋを収納した大帯カセットＣ１を取り外して後述する検査機内コンベア２６上へ自動的に送り出すとともに、予備として用意された新たな大帯カセットを自動的に所定位置にセットすることにより交換する（ステップ６、７）。
【００３０】
大帯除去部１５によって結束解除された集積状態の１０把は、把切出し部によって１把ずつ切り出され、未検査小帯印字部１６へ搬送されて、各把ｔの小帯ｋに当該検査機２の機番号や当該把ｔの切出し順等を示す番号が印字される（ステップ８）。各把ｔの小帯ｋに印字した情報は、検査機制御部１０２を介して搬送制御部１０６へ通知される。
【００３１】
未検査小帯印字部１６で小帯ｋに番号が印字された把ｔは、小帯除去部１７へ搬送されて、ここで、小帯ｋが切除されて（ステップ９）小帯カセットＣ２（小帯収納部）へ収納される（ステップ１０）。小帯カセットＣ２は、小帯除去部１７の下方に配置され、検査機２に対して脱着自在に装着されている。
【００３２】
小帯カセットＣ２は、図８に示すように、略矩形ブロック形状を有し、４分割した収納部を有する。各収納部の上部には、切除した小帯ｋを収納すべく開閉するシャッタ５１がそれぞれ設けられ、各収納部内には、小帯ｋの収納に応じて下方に移動するバックアップ５２がそれぞれ設けられている。小帯カセットＣ２の各収納部は、所定量の小帯ｋを収納する度に、カセットホルダを移動することにより所定の収納位置へ順次移動され、空いている収納部に小帯ｋが順次収納されるようになっている。
【００３３】
小帯カセットＣ２の周辺には、予備の小帯カセット、およびカセット交換機構が配設されている。カセット交換機構は、所定のタイミングで動作され、既に小帯ｋを収納した小帯カセットＣ２をカセットホルダから取り外して検査機内コンベア２６上へ自動的に送り出すとともに、予備として用意された新たな小帯カセットを自動的に所定位置にセットすることにより交換する（ステップ１１、１２）。
【００３４】
小帯除去部１７で小帯ｋが切除されて破封された集積状態の１００枚の紙幣Ｐは、取出部１８へ供給されて計数されつつ１枚ずつ取り出される（ステップ１３）。取出部１８は、１００枚の集積状態の紙幣Ｐの最上端の紙幣Ｐにピックアップローラを転接せしめて回転させ、集積方向端部の紙幣Ｐから順に１枚ずつ取り出す。
【００３５】
取出部１８で１枚ずつ取り出された紙幣Ｐは、検査部１９へ搬送されて検査される（ステップ１４）。検査部１９は、紙幣Ｐの画像や特徴量を取得するとともに、紙幣Ｐの処理枚数をカウントする。検査部１９における検査結果は、検査機制御部１０２に通知される。
【００３６】
検査機制御部１０２では、通知された検査結果に基づいて、当該紙幣Ｐが正規の紙幣（正券）であるか否かを判断し、正券である場合、再使用可能であるか否かを判断する。つまり、ここでは、当該紙幣Ｐが正券、損券、或いは排除券のいずれであるかが判断される（ステップ１５）。ステップ１５の判断結果は、搬送制御部１０６へ通知される。
【００３７】
ステップ１５の判断の結果、正規且つ再使用可能な紙幣であることが判断された正券は、正券集積・小帯結束部２０へ搬送される。正券集積・小帯結束部２０は、正券を１００枚ずつ計数しながら集積して整位した後、小帯ｋで施封して把ｔ’を形成する（ステップ１６）。
【００３８】
施封された把ｔ’は、検査済小帯印字部２３を通過されて、小帯ｋに当該検査機２の機番号や印字時刻等を示す番号が印字される（ステップ１７）。
【００３９】
検査済小帯印字部２３で小帯ｋに番号が印字された把ｔ’は、把集積・大帯結束部２４へ供給されて集積される。把集積・大帯結束部２４は、検査済の把ｔ’を１０把集積して大帯Ｋで十文字結束し、検査済の束Ｔ’を形成する（ステップ１８）。
【００４０】
把集積・大帯結束部２４で結束された束Ｔ’は、検査機内コンベア２６の搬送開始端近傍に設けられた検査済大帯印字部２５を通過される。検査済大帯印字部２５は、束Ｔ’を結束した大帯Ｋに当該検査機２の機番号や印字時刻等を示す番号を印字する（ステップ１９）。
【００４１】
検査済大帯印字部２５で大帯Ｋに番号が印字された束Ｔ’は、検査機内コンベア２６上に送り出される（ステップ２０）。検査機内コンベア２６は、検査機２の底部に沿って、検査済束リフタ２７まで延びており、大帯印字済の束Ｔ’を検査済束リフタ２７まで搬送する。検査済束リフタ２７は、検査機内コンベア２６によって搬送された束Ｔ’を検査済束バッファコンベア２８の高さまで上昇させる。
【００４２】
検査済束バッファコンベア２８の終端には、検査済束送出部２９が設けられている。検査済束送出部２９は、束Ｔ’を隣接する搬送装置６の検査済束搬送コンベア３０上に移載する。検査済束搬送コンベア３０は、上述した未検査束搬送コンベア１１の下方で略平行に延設され、検査済束送出部２９から受け取った束Ｔ’を図中矢印Ｂ方向に搬送する（ステップ２１）。矢印Ｂ方向に搬送された束Ｔ’は、図示しない次工程へ供給される。
【００４３】
また、ステップ１５で正規且つ再使用不可能な紙幣であることが判断された損券は、損券裁断部２１へ搬送されて計数されつつ裁断されて失効される（ステップ２２）。裁断された損券は、図示しない次工程へ気送される（ステップ２３）。
【００４４】
さらに、ステップ１５で検査不能もしくは異種券等、正損判定外の再検査が必要な紙幣であることが判断された排除券は、計数されつつ排除券集積部２２に集積される（ステップ２４）。このとき、排除券の帰属する束Ｔを見分けることができるように、区分カードが排除券とともに排除券集積部２２に集積される。区分カードは、排除券カセットＣ３に隣接した位置に設けられたスタッカ２２ａに収容されている。区分カードには、予め特定のバーコードが印字されており、排除券の間に挿入される際に図示しないバーコードリーダでバーコードが読み取られる（ステップ２５）。読取結果は、検査機制御部１０２を介して搬送制御部１０６へ通知される（ステップ２６）。
【００４５】
排除券集積部２２に集積された排除券および区分カードは、排除券集積部２２の下方に配置された排除券カセットＣ３（紙葉類収納部）内に順次収納される（ステップ２７）。排除券カセットＣ３は、排除券集積部２２の下方に配置され、検査機２に対して脱着自在に装着されている。
【００４６】
排除券カセットＣ３は、図９に示すように、略矩形ブロック形状を有し、排除券カセットＣ３の上部に差し込まれる仕切プレート６１、排除券の収納に応じて下方に移動するバックアップ６２、および収納した排除券および区分カードを外部に取り出すための開閉扉６３を有する。
【００４７】
排除券カセットＣ３の周辺には、予備の排除券カセット、およびカセット交換機構が配設されている。カセット交換機構は、所定のタイミングで動作され、排除券および区分カードを収納済の排除券カセットＣ３を検査機内コンベア２６上に自動的に送り出すとともに、予備として用意されている新たな排除券カセットを自動的に所定位置にセットすることにより交換する（ステップ２８）。
【００４８】
本実施の形態では、検査機２にて所定数（例えば４０〜６０束）の束Ｔを処理したタイミングで、排除券カセットＣ３のカセット交換機構が動作され、区分カードとともに排除券を収容した排除券カセットＣ３が検査機内コンベア２６上に排出される。
【００４９】
また、ステップ６で大帯カセットＣ１を検査機内コンベア２６上に排出するタイミング、およびステップ１１で小帯カセットＣ２を検査機内コンベア２６上に排出するタイミングは、ステップ２８で排除券カセットＣ３を検査機内コンベア２６上に排出するタイミングに合わせ決定される。すなわち、所定数の束Ｔを処理した後、当該処理にて発生した全ての大帯Ｋを収容した大帯カセットＣ１、当該処理にて発生した全ての小帯ｋを収容した小帯カセットＣ２、および当該処理にて再検査が必要と判断された全ての排除券を収容した排除券カセットＣ３が近接して検査機内コンベア２６上に排出されてまとめて搬送されるように、各カセットＣ１、Ｃ２、Ｃ３（大帯カセットＣ１、小帯カセットＣ２、排除券カセットＣ３）の排出タイミングが設定されている。
【００５０】
検査機内コンベア２６は、上記のように送り出された大帯カセットＣ１、小帯カセットＣ２、排除券カセットＣ３を、束Ｔ’とともに検査済束リフタ２７まで搬送する。検査済束リフタ２７に隣接した位置には、カセットバッファコンベア３１が設けられている。カセットバッファコンベア３１は、上述した検査済束バッファコンベア２８の下方で略平行に延設されている。
【００５１】
つまり、検査機内コンベア２６によって搬送される束Ｔ’および各カセットＣ１、Ｃ２、Ｃ３は、検査済束リフタ２７を選択的に昇降移動させることにより、検査済束バッファコンベア２８或いはカセットバッファコンベア３１上へ振り分けられる。
【００５２】
カセットバッファコンベア３１の終端に隣接した位置には、カセット送出部３２が設けられている。カセット送出部３２は、カセットバッファコンベア３１によって搬送された各カセットＣ１、Ｃ２、Ｃ３を搬送装置６のカセット搬送コンベア３３上へ移載する。本実施の形態において、検査機内コンベア２６上に排出されるカセットＣ１、Ｃ２、Ｃ３が近接しているため、カセット搬送コンベア３３上へ移載されたカセットＣ１、Ｃ２、Ｃ３も互いに近接した状態でまとめて搬送されることになる。
【００５３】
カセット搬送コンベア３３は、上述した検査済束搬送コンベア３０の下方で略平行に延設され、カセット送出部３２から送り出された各カセットＣ１、Ｃ２、Ｃ３を図中矢印Ｃ方向に搬送する（ステップ７、１２、２９）。このようにして、当該検査機２から送り出されたカセットＣ１、Ｃ２、Ｃ３は、互いに近接した状態を保ったまま、排除券処理機４の近くに配設されたカセット排出部８まで搬送される。
【００５４】
一方、排除券処理機４に近接して配置された搬送装置６のカセット排出部８には、各検査機２から排出された３つのカセットＣ１、Ｃ２、Ｃ３がまとめて搬送される。排除券処理機４のオペレータは、各検査機２から搬送される３つのカセットＣ１、Ｃ２、Ｃ３をまとめて排除券処理機４へ運び、排除券カセットＣ３内に収納されている区分カードおよび排除券を排除券処理機４へ投入する。
【００５５】
以下、排除券処理機４の構造および動作について説明する。
【００５６】
オペレータは、排除券処理機４に運んだ１まとめのカセットＣ１、Ｃ２、Ｃ３のうち排除券カセットＣ３の開閉扉６３を開けて区分カードをその収納順のまま取り出し、区分カード読取部７１へ投入する（ステップ３０）。区分カード読取部７１では、投入された区分カードからバーコードを読み取る。そして、読取結果が排除券処理機制御部１０４を介して搬送制御部１０６へ通知される。
【００５７】
搬送制御部１０６では、ステップ２５で区分カードを挿入する際に読み取った区分カードの情報（バーコード）と照合し、当該排除券カセットＣ３に収納されている排除券が帰属する束Ｔが特定される（ステップ３１）。
【００５８】
この後、オペレータの手作業によって排除券カセットＣ３内の排除券が取り出されて取出部７２に投入される（ステップ３２）。取出部７２によって取り出された排除券は、検査部７３を通過されて計数されつつ検査される（ステップ３３、３４）。ここでは、上述した検査機２による検査より高い検査精度で排除券が再検査される。尚、計数および検査の結果は、排除券処理機制御部１０４を介して搬送制御部１０６へ通知される。
【００５９】
ステップ３４の検査の結果、裁断して失効させるべき紙幣であることが判断された排除券は、裁断部７４へ搬送されて裁断される（ステップ３５、３６）。裁断された排除券は、次工程へ搬送される（ステップ３７）。一方、ステップ３４の検査の結果、再検査が必要と判断された排除券は、排除券集積部７５に集積され、オペレータの目視確認後、手作業により取出部７２へ再投入される（ステップ３２）。
【００６０】
排除券処理機４による処理が終了した後、搬送制御部１０６にて計数情報が収集される（ステップ３８）。つまり、ステップ１６で計数した正券の集積枚数、ステップ２２で計数した損券の裁断枚数、およびステップ３３で計数した排除券の処理枚数が集計され、当該処理で処理されるべき予定枚数と比較されて照合される（ステップ３９）。
【００６１】
ステップ３９の照合の結果、計数結果と予定枚数とが一致していることが判断されると、当該処理に係る員数が確定されて（ステップ４０）当該処理が終了される。
【００６２】
一方、ステップ３９の照合の結果、員数に過不足があることが判断されると、当該処理の結果として大帯Ｋおよび小帯ｋに印字した番号等の情報が表示部７６を介して表示されて（ステップ４１）オペレータに通知される。
【００６３】
そして、ステップ４１で表示された情報を確認したオペレータは、この情報に基づいて、当該排除券カセットＣ３と一緒にカセット排出部８から運んだ大帯カセットＣ１、および小帯カセットＣ２内を直ちに捜索し、該当する帯とともに混入しているであろう紙幣Ｐを探す（ステップ４２）。このとき、同時に、オペレータは、表示部７６を介して表示されている情報から処理中の排除券の帰属先として金融機関等の受入先情報を容易に取得できる。
【００６４】
以上のように、本実施の形態によると、各検査機２で処理した排除券を収納した排除券カセットＣ３とともに、大帯カセットＣ１、および小帯カセットＣ２をまとめてカセット排出部８へ排出するようにしたため、排除券カセットＣ３内の排除券を排除券処理機４で処理した後、員数に過不足を生じている場合、直にその場で大帯カセットＣ１、および小帯カセットＣ２内を捜索でき、従来のように当該排除券カセットＣ３を排出した検査機２まで行って大帯カセットＣ１、および小帯カセットＣ２を捜索する必要がなく、オペレータによる作業負担を低減でき、排除券の処理に係る時間を短縮でき、紙幣処理装置１の稼働率を向上させることができる。
【００６５】
また、本実施の形態によると、各検査機２による予定数の束Ｔの処理が終了した時点で、排除券カセットＣ３とともに、大帯カセットＣ１、および小帯カセットＣ２を排出するため、当該検査機２による処理が確定する前に当該検査機２による別の処理が可能となり、紙幣処理装置１全体としての稼働率を向上させることができる。
【００６６】
尚、この発明は、上述した実施の形態に限定されるものではなく、この発明の範囲内で種々変形可能である。
【００６７】
【発明の効果】
以上説明したように、この発明の紙葉類処理装置は、上記のような構成および作用を有しているので、オペレータによる手間を軽減でき、装置の稼働率を向上させることができる。
【図面の簡単な説明】
【図１】この発明の実施の形態に係る紙幣処理装置の概略構造を示す外観斜視図。
【図２】図１の紙幣処理装置で処理される紙幣の把（ａ）、および束（ｂ）を示す外観斜視図。
【図３】図１の紙幣処理装置に組み込まれた検査機の内部構造を示す斜視図。
【図４】図１の紙幣処理装置に組み込まれた排除券処理機の内部構造を示す正面図。
【図５】図１の紙幣処理装置の動作を制御する制御系を示すブロック図。
【図６】図１の紙幣処理装置の動作を説明するためのフローチャート。
【図７】図３の検査機に脱着自在に装着される大帯カセットを示す概略斜視図。
【図８】図３の検査機に脱着自在に装着される小帯カセットを示す概略斜視図。
【図９】図３の検査機に脱着自在に装着される排除券カセットを示す概略斜視図。
【符号の説明】
１…紙幣処理装置、２…検査機、４…排除券処理機、６…搬送装置、８…カセット排出部、Ｃ１…大帯カセット、Ｃ２…小帯カセット、Ｃ３…排除券カセット、ｔ、ｔ’…把、Ｔ、Ｔ’…束、Ｐ…紙幣。
【図１】
2005010990.tif 000003
【図２】
2005010990.tif 000004
【図３】
2005010990.tif 000005
【図４】
2005010990.tif 000006
【図５】
2005010990.tif 000007
【図６】
2005010990.tif 000008
【図７】
2005010990.tif 000009
【図８】
2005010990.tif 000010
【図９】
2005010990.tif 000011